(57)【要約】【課題】ＦＡＸで受信したデータから画像データを生成しデータベースに格納する。格納時に画像データの一部に画像のファイル情報を電子透かし等を用いて埋め込み、画像データを出力する。この出力をコピーの原稿として用いれば、埋め込み情報によりいつでもオリジナルデータを用いた印刷が可能になる。【解決手段】ＦＡＸを受信し、画像データを生成し格納する。格納情報を画像データに埋め込み、情報の埋め込まれたデータを印刷する。【選択図】  図１
2006197476.tif 000002
【特許請求の範囲】
【請求項１】
ＦＡＸ受信が可能で、通信手段を用いてデータを機器間で交換できるデジタル複合機システムにおいて、印刷モードを判定するステップと、全ページ印刷モードを設定するステップと、情報埋め込みページのみ印刷モードを設定するステップと、ＦＡＸを受信するステップと、受信したＦＡＸデータから画像データ部分を抽出して画像データを生成する手段と、画像ファイルの一部にファイル情報を付加するステップと、受信データの印刷あの有り無しを判定するステップと、画像データの内、情報を付加したページのみ印刷するステップと、画像データすべてを印刷するステップを有する事を特徴としたＦＡＸを用いた画像データ格納印刷方法。
【発明の詳細な説明】
【技術分野】
【０００１】
本発明はＦＡＸを用いた画像データ格納印刷方法に関する。
【背景技術】
【０００２】
公衆回線を通じて受信したＦＡＸデータから印刷可能な画像データを抽出して印刷する印刷装置ははすでに製品化され既知のシステムである。また、何らかの情報を画像データに情報を付加する方法としては「電子透かし」等がある。この技術を用いて、画像データにファイルの位置情報などを埋め込み、人間の目には元の画像と区別のつかない画像として印刷できる。この印刷物に埋め込まれたファイル情報を読取装置で読み取とれば、画像データの格納位置を知らなくても何時でもオリジナルの画像データにアクセスできる（例えば、特許文献１参照。）。
【特許文献１】特開２００４−４６５３７号公報
【発明の開示】
【発明が解決しようとする課題】
【０００３】
上記した従来のデータ格納印刷システムでは、ＦＡＸデータから抽出した画像データを外部記憶装置に格納するが、その格納位置などのファイル情報を画像データに自動的に埋め込む機能は持っていない。また、ファイル情報を埋め込み新たに生成された画像データを自動的に印刷する機能も存在していない。したがって、現在のシステムではファイル情報を文字列として印刷する程度の機能しか持ち得なかった。
【０００４】
本発明は、上記の問題点を解決するために電子透しなどの情報埋め込み技術を用いて、ＦＡＸで受信した画像データを格納するとともに、その画像データ自体に位置情報を埋め込んで印刷し、印刷物での画像データアクセスを可能としたＦＡＸを用いたデータ格納印刷方法を提供することにある。
【課題を解決するための手段】
【０００５】
本発明によれば、ＦＡＸ受信が可能で、通信手段を用いてデータを機器間で交換できるデジタル複合機システムにおいて、印刷モードを判定するステップと、全ページ印刷モードを設定するステップと、情報梅濃いページのみ印刷モードを設定するステップと、ＦＡＸを受信するステップと、受信したＦＡＸデータから画像データ部分を抽出して画像データを生成する手段と、画像ファイルの一部にファイル情報を付加するステップと、受信データの印刷あの有り無しを判定するステップと、画像データの内、情報を付加したページのみ印刷するステップと、画像データすべてを印刷するステップを有する。
【発明の効果】
【０００６】
本発明によれば、ＦＡＸ受信が可能で、通信手段を用いてデータを機器間で交換できるデジタル複合機システムにおいて、印刷モードを判定し、全ページ印刷モードを設定し、情報埋め込みページのみ印刷モードを設定し、ＦＡＸを受信し、受信したＦＡＸデータから画像データ部分を抽出して画像データを生成し、画像ファイルの一部にファイル情報を付加し、受信データの印刷あの有り無しを判定し、画像データの内、情報を付加したページのみ印刷し、画像データすべてを印刷する。
【０００７】
以上説明したように、ＦＡＸ受信が可能で、通信手段を用いてデータを機器間で交換できるデジタル複合機システムにおいて、印刷モードを判定するステップと、全ページ印刷モードを設定するステップと、情報埋め込みページのみ印刷モードを設定するステップと、ＦＡＸを受信するステップと、受信したＦＡＸデータから画像データ部分を抽出して画像データを生成する手段と、画像ファイルの一部にファイル情報を付加するステップと、受信データの印刷あの有り無しを判定するステップと、画像データの内、情報を付加したページのみ印刷するステップと、画像データすべてを印刷するステップを設けたことにより、ＦＡＸで送信された画像データを格納でき、格納位置情報を画像データに埋め込んで出力できるようになるため、印刷物さえ持っていれば何時でもオリジナルの画像データからきれいな印刷ができると言う効果がある。
【発明を実施するための最良の形態】
【０００８】
以下、発明を実施するための最良の形態を図面を参照しつつ説明する。
【実施例】
【０００９】
次に本発明について詳細に説明する。
【００１０】
図１は本発明の動作の流れを示すフローチャートである。
【００１１】
図２はハード概念図である。読み取り装置（２１）は、スキャナなど。印刷装置（２３）はプリンタなど。外部記憶装置は（２４）ハードディスクなど。ＦＡＸ受信部（２５）は電話回線に接続され、ＦＡＸを受信して中央処理装置（２２）で画像処理を行うものとする。
【００１２】
以下に具体例を上げ本発明を解説する。
【００１３】
本発明を実現するためのシステムとして、スキャナ、プリンタ、ハードディスクを持ち、ネットワーク及び公衆回線に接続可能なデジタル複合機システムを例に説明する。デジタル複合機は電話番号を持ち、デジタル複合機に対してＦＡＸを送信することが可能である。またデジタル複合機は受信したＦＡＸデータを印刷するかしないかというスイッチ機能を持つ。
【００１４】
まずユーザーはデジタル複合機で印刷モードを設定する。「全ページ印刷モード」もしくは「１ページ印刷モード」を選択する（ステップ３１、３２、３３）。
【００１５】
ＦＡＸを受信した（ステップ１１）デジタル複合機は、受信したＦＡＸデータから印刷可能な画像データへと変換し、ハードディスク（図２、２４）に格納する（ステップ１２）。画像の生成格納が終了したら（ステップ１３）、デジタル複合機をネットワーク上で識別するためのＩＰアドレス（またはＵＲＬなど）、ハードディスク上のパス、画像データのファイル名などのネットワーク上からデジタル複合機のハードディスクに格納された画像データにアクセスするために必要な情報を「ファイル情報」として電子透かしとして画像データの１ページ目の中に埋め込む（ステップ１４）。もし「受信したすべてのデータを印刷する」モードが設定されていた場合、生成した画像データをプリンタ（図２、２３）ですべて印刷する（ステップ１６）。もし「１ページ目だけを印刷する」モードが設定されていたら、画像データの内、ファイル情報が埋め込まれた１ページ目のみをプリンタで印刷する（ステップ１７）。
【図面の簡単な説明】
【００１６】
【図１】実施例の動作の流れを示すフローチャートである。
【図２】フローチャートを実行する為のハードウェアの概念図である。
【図３】印刷モードを設定するフローチャートである。
【符号の説明】
【００１７】
１１  ＦＡＸを受信するステップ
１２  ＦＡＸデータから画像データを抽出し、外部記憶装置に格納するステップ
１３  格納が終了したかを確認するステップ
１４  格納された画像ファイルにファイル情報を埋め込むステップ
１５  受信データの印刷ありなしを確認するステップ
１６  ファイル情報を付加した画像データ全体を印刷するステップ
１７  ファイル情報を付加したページのみを印刷するステップ
２１  読み取り装置
２２  中央処理装置
２３  印刷装置
２４  外部記憶装置
２５  ＦＡＸ受信インタフェース部
２１  モードはどちらかを判定するステップ
２２  全ページを印刷するステップ
２３  情報埋め込みページのみを印刷するステップ
【図１】
2006197476.tif 000003
【図２】
2006197476.tif 000004
【図３】
2006197476.tif 000005